(57)【特許請求の範囲】
【請求項１】
スピーカダイアフラム（７）とこのスピーカダイアフラム（７）用のドライバ（８）とを有するスピーカ（３）と、
前記スピーカ（３）を内蔵するハウジング（４）と、
アンテナユニット（５）とを備え、
前記アンテナユニット（５）が、コイル軸線（２２）を中心とするアンテナコイル（２０）と、音通路（３２）を形成する管状のコイルコア（２４）と、前記音通路（３２）に開口する音通過穴（３０）を形成したアンテナ底板（２６）とを備え、
前記アンテナコイル（２０）と前記コイルコア（２４）と前記アンテナ底板（２６）が前記アンテナユニット（５）のアンテナ特性を定め、
前記スピーカダイアフラム側の前記ハウジング（４）の側壁が前記アンテナ底板（２６）によって形成されている、聴取器（２）用スピーカモジュール（１）。
【請求項２】
前記音通路（３２）が前記ハウジング（４）のハウジング内室（３４）から分離されるように、前記スピーカダイアフラム（７）が前記ハウジング（４）内に固定されていることを特徴とする請求項１に記載のスピーカモジュール（１）。
【請求項３】
前記スピーカダイアフラム（７）が管状の前記コイルコア（２４）内に配置されていることを特徴とする請求項１または２に記載のスピーカモジュール（１）。
【請求項４】
前記コイルコア（２４）と前記アンテナ底板（２６）が強磁性材料および／またはフェリ磁性材料によって形成されていることを特徴とする請求項１〜３のいずれか一項に記載のスピーカモジュール（１）。
【請求項５】
前記スピーカダイアフラム（７）の前記ドライバ（８）がコイル軸線（１８）を中心とするドライバコイル（１６）を備え、前記アンテナコイル（２０）の前記コイル軸線（２２）が前記ドライバコイル（１６）の前記コイル軸線（１８）に対して垂直に向いていることを特徴とする請求項１〜４のいずれか一項に記載のスピーカモジュール（１）。
【請求項６】
前記アンテナコイル（２０）の前記コイル軸線（２２）が前記ドライバコイル（１６）と交叉するように、前記コイルコア（２４）が配置されていることを特徴とする請求項５に記載のスピーカモジュール（１）。
【請求項７】
前記アンテナコイル（２０）の前記コイル軸線（２２）が前記ドライバコイル（１６）のほぼ中央に延在するように、前記コイルコア（２４）が配置されていることを特徴とする請求項５または６に記載のスピーカモジュール（１）。
【請求項８】
前記アンテナユニット（５）が少なくとも１個のアンテナ側板（４２）を備え、このアンテナ側板が前記アンテナコイル（２０）とは反対の前記アンテナ底板（２６）の側で前記アンテナ底板（２６）に対して垂直に延在していることを特徴とする請求項１〜７のいずれか一項に記載のスピーカモジュール（１）。
【請求項９】
前記ハウジング（４）の他の側壁が前記アンテナ側板（４２）によって形成されていることを特徴とする請求項８に記載のスピーカモジュール（１）。
【請求項１０】
請求項１〜９のいずれか一項に記載のスピーカモジュール（１）を備えた聴取器（２）。
【発明の詳細な説明】
【技術分野】
【０００１】
本発明は聴取器用スピーカモジュールに関する。本発明はさらに、このようなスピーカモジュールを備えた聴取器に関する。
【背景技術】
【０００２】
用語「聴取器」には特に、補聴器が含まれる。この補聴器は、聴力が低下した人のために、この聴力低下を少なくとも部分的に補うために役立つ。そのために、補聴器は構成要素として一般的に、音響的な音声信号（例えば声、音楽および／またはその他の周囲騒音）を拾い上げるための少なくとも１個のマイクロホンと、拾い上げられた音声信号をろ波および少なくとも部分的に増幅するための信号処理ユニット（信号プロセッサとも呼ばれる）と、処理された音声信号を聴取器装着者（すなわち聴力が低下した人）の耳に出力するための（たいてい「レシーバ」と呼ばれる）スピーカとを備えている。補聴器は聴力低下の種類に応じて、スピーカの代わりに、例えば聴取器装着者の聴覚中枢を機械的または電気的に刺激するための骨伝導インプラントまたは蝸牛インプラントを備えている。しかし、用語「聴取器」には、聴取器装着者の聴覚に（音響的な）音声信号を出力する働きをする他の機器も含まれる。このような機器は例えばいわゆる耳鳴りマスカ（Ｔｉｎｎｉｔｕｓ−Ｍａｓｋｅｒ）、ヘッドフォン、ヘッドセット等である。
【０００３】
聴取器、特に補聴器は、例えば聴取器装着者の片方の耳に独立して供給するための単独の「モノラル」補聴器として形成可能である。このようなモノラル聴取器または補聴器には通常は、上述の構成要素のすべてが統合されている。聴取器または補聴器は両耳聴の聴取器システムの一部であってもよい。このような両耳聴の聴取器システムは通常、聴取器装着者の両耳に供給するように形成されている。普通は両（両耳聴の）聴取器の間で、情報交換（信号交換）が生じる。この情報交換は実際の両耳聴の信号処理を可能にする。従って、両耳聴の聴取器はしばしば信号処理アルゴリズムを備えている。この信号処理アルゴリズムによって、例えば指向性を発生するために、両聴取器によって受信された音声信号が考慮される。そのためには理解されるように、音声信号を聴取器の間で伝送しなければならない。
【０００４】
両耳聴の両聴取器の間での情報交換は通常は無線システムを介して行われる。すなわち、両耳聴の両聴取器は交換すべき情報を送信および／または受信するために少なくとも１個のアンテナを備えている。このアンテナは上述の構成要素に追加される構成部分である。この構成部分は理解されるように、聴取器ハウジング内に（少なくとも聴取器のために供されるスペース内に）配置しなければならない。しかしながら、交換すべき情報の送信および受信に関する十分に高い品質を維持できるようにするためには、アンテナのある程度の大きさ（特にある程度の容積）を下回るようにすることはできない。それによってアンテナのために必要なスペースは、すべての種類（例えば耳背後型、耳内型またはカナル内型）の聴取器のハウジング容積を小さくするという努力とは相容れない。というのは、例えばスピーカのような他の聴取器構成要素を好きなように小型化することができないからである。もし好きなように小型化すれば、出力される音声信号の音響品質と効率が低下するであろう。
【０００５】
音響品質はもちろん、聴取器の使用時に聴取器装着者が感じる主たる品質特徴の一つである。スピーカの低い周波数の音響特性と効率（および主観的に感じられる音響品質）は、特に背部容積（「バック容積」とも呼ばれる）によっておよび前容積（「フロント容積」とも呼ばれる）によって影響を受ける。この背部容積は通常は、音声信号を発生するスピーカダイアフラムよって周囲に対して画成された容積によって形成されている。前容積はスピーカダイアフラムとレシーバの音出口の間あるいはレシーバの音出口と鼓膜の間に配置されている。この場合特に、背部容積と前容積の比がレシーバの音響品質と効率に影響を及ぼす。この場合通常は、前容積の用語はスピーカダイアフラムとレシーバの音出口の間の容積に関する。聴取器で使用される普通のスピーカはほとんどが聴取器ハウジング内に配置され、そして音通路を形成する音ホースまたは音支持体によって、聴取器ハウジングの音出口に接続されている。従って、スピーカダイアフラムと音出口の間に配置された容積はこのような意味において前容積である。
【発明の概要】
【発明が解決しようとする課題】
【０００６】
本発明の根底をなす課題は、無線に基づいて情報を伝送するように構成された聴取器において、音響特性の改善を可能にすることである。
【課題を解決するための手段】
【０００７】
この課題は本発明に従い、請求項１の特徴を有するスピーカモジュールによって解決される。さらに、課題は本発明に従い、請求項１０の特徴を有する聴取器によって解決される。有利で、一部はそれ自体発明的である本発明の実施形態と発展形態は、従属請求項と以下の記載に示してある。
【０００８】
本発明に係るスピーカモジュールは、無線に基づいて情報を伝送する聴取器で使用するように構成されて設けられている。その際、スピーカモジュールは、スピーカダイアフラムとこのスピーカダイアフラム用のドライバ（以下、ダイアフラムドライバ）とを有するスピーカを備えている。スピーカモジュールはさらに、スピーカを内蔵するハウジングを備えている。ハウジングは好ましくは、穴を除いてスピーカのすべての側を包囲している。スピーカの運転中、この穴を通って音響信号が周囲に出ることができる。スピーカモジュールはさらに、電磁信号を送信および／または受信するためのアンテナユニットを備えている。このアンテナユニットはコイル軸線を中心とするアンテナコイルと、アンテナコイルを巻き付けた、音通路を形成する管状のコイルコアを備えている。この場合、用語「管状」は、管の特別な横断面形状に制限されない。従って、管状に延在するコイルコアは特に正方形、長方形、多角形、長円形または円形の横断面を有する。考えられる実施形態では、横断面形状がコイルコアに沿って変化する。その際、アンテナコイルはそのコイル軸線に沿って好ましくは直線に延在している。アンテナユニットはさらに、アンテナ底板を備えている。このアンテナ底板には、コイルコアの音通路に開口する音通過穴が形成されている。その際、アンテナコイルとコイルコアとアンテナ底板はアンテナユニットのアンテナ特性を定める。ダイアフラム側のハウジングの側壁、すなわちスピーカダイアフラム（表面）に対向する側壁は、アンテナ底板によって形成されている。
【０００９】
すなわち、スピーカモジュールは、スピーカとアンテナユニットによって形成された構造ユニットであり、この構造ユニットの場合アンテナユニットはスピーカのハウジングに統合されている。スピーカダイアフラムによって発生した音はスピーカモジュールの音出口を通って周囲に放出可能であり、このスピーカモジュールの音出口は好ましくはアンテナ底板とは反対の側の音通路の自由端によって形成されている（すなわち、コイルコアの自由端に配置されている）。特に、スピーカとアンテナユニット、具体的にはアンテナ底板の間には、付加的なハウジング部品が配置されていない。
【００１０】
ここでおよび以下において、「アンテナ特性」とは特に、例えば受信器に情報伝送するための（消費ができるだけ少ない、電気的な）送信出力、高い受信出力および故障しにくさのようなアンテナユニットの出力特徴であると理解される。
【００１１】
音通路がアンテナコイルを巻いたコイルコアによって形成されていることにより、分離されたアンテナのために必要なスペースが不要になり、従ってスピーカの容積、特に背部容積に影響を及ぼさずに、聴取器ハウジング内のスペースを縮小することができるかまたはその代わりにスピーカが相応して拡大された背部容積を有することができる。アンテナ底板がスピーカハウジングの側壁を形成することにより、同じアンテナ容積で、特に同じコイルコア長さで、大部分が音通路によって形成された前容積を、背部容積に比して低減することができるので有利である。アンテナユニットはスピーカダイアフラムを小刻みに動かす。それによって、スピーカダイアフラムの音響的な抵抗が縮小し、従ってスピーカの音響特性が改善されるので有利である。その際、本発明は、前容積の縮小と背部容積の拡大が低周波数でのスピーカの帯域幅と効率を高めるという固有の認識から出発している。さらに、スピーカは同じ大きさであるいは縮小した大きさで（並びに特に同じ電気出力で）、より高い（音出口）出力を有することができる。さらに、アンテナ底板をスピーカモジュールのハウジングに統合したことにより、スピーカモジュールの長さ（特にアンテナコイルのコイル軸線に沿った長さ）を短くすることができ、この長さは聴取器全体のコンパクトな形成にとって有利である。
【００１２】
有利な実施形態では、音通路がハウジング内室に対して分離されるように、スピーカダイアフラムがハウジング内に固定されている。これは、ハウジング内室が背部容積を形成することを意味する。スピーカダイアフラムはハウジング内室に対して音通路を閉鎖する。スピーカダイアフラムは必要な振動間隔を除いて、アンテナ底板に直接押し付けられる。そのために、スピーカダイアフラムは例えば特に金属製の縁範囲を介してハウジングの側方の壁に固定されているかあるいはアンテナ底板に直接取付けられている。それによって一方では、スピーカダイアフラムが（ほとんどが直方体状の）ハウジングの内室で音通路に対して大きくずらして固定され、その際（ハウジング）側壁によって取り囲まれたハウジング内室を２つの部分容積に分割する普通のスピーカ構造と比べて、スピーカダイアフラムによって周囲から、具体的には音通路から分離された背部容積が、特に前容積に対して拡大される。前容積はコイルコア内に存在する容積に縮小させられる。拡大された背部容積によって同様に、音響的な（出力）信号を発生する際にスピーカダイアフラムのための音響抵抗が低下させられる。特に、拡大した背部容積によって、スピーカの低音特性が改善される。
【００１３】
きわめて合目的な実施形態では、スピーカダイアフラムはコイルコア内に（すなわちコイルコアの中に）配置されている。その際、スピーカダイアフラムは好ましくはアンテナコイルのコイル軸線に対して半径方向に配置されている。この実施形態では、背部容積がさらに拡大され、スピーカダイアフラムによってハウジング内室に対して画成された音通路、ひいては音通路内に配置された前容積が、相応してさらに縮小するので、スピーカの音響特性がさらに改善される。背部容積と前容積の容積変更によって特に、高い周波数と低い周波数が良好に（好ましくは明瞭な音響で）提供されるので有利である。
【００１４】
他の合目的な実施形態では、ダイアフラムドライバがコイル軸線を中心とするドライバコイルを備えている。このドライバコイルは好ましくはそのコイル軸線に沿って特に直線状に長く延びている。すなわち、ドライバコイルはコイル軸線に対して横向きのその寸法（「厚さ」とも呼ばれる）と比較して大きな長さを有する。この実施形態では好ましくは、アンテナコイルのコイル軸線はドライバコイルのコイル軸線に対して垂直に配置されている。この場合アンテナ底板がアンテナコイルのコイル軸線に対して垂直に配置されていると合目的である。アンテナコイルとドライバコイル（またはそのそれぞれのコイル軸線）が互いに垂直に向いていることにより、それぞれのコイルの運転中、このコイルによって発生した磁界の、他のコイルへの入射が低減されるので有利である。それによって特に、コイルの磁界による電流の、他のコイルへの妨害誘導が低減可能であるので有利である。従って特に、ドライバコイルの磁界によるアンテナの妨害作用が低減され、それによってアンテナユニットの情報伝送の質が高まる。
【００１５】
上述の実施形態の有利な発展形態では、アンテナコイルとドライバコイルのそれぞれのコイル軸線が互いに垂直である。換言すると、両コイル軸線は９０°の角度で交叉している。
【００１６】
有利な実施形態では、コイルコアとアンテナ底板が強磁性材料および／またはフェリ磁性材料によって形成されている。コイルコアとアンテナ底板は好ましくはフェライトによって形成されている。それによって存在する磁気特性に基づいて、コイルコアとアンテナ底板はアンテナユニットのアンテナ特性にきわめて有利に寄与する。この実施形態では、アンテナユニットは好ましくは磁気式アンテナ、特に「フェライトアンテナ」である。このようなアンテナは、好ましくは約１００ｋＨｚ〜１０ＭＨｚの周波数範囲で信号を伝送するために適しているという利点がある。すなわち、このアンテナは、例えば人の両耳の間隔のオーダーのような比較的に短い距離にわたって、同時に（特に高周波のデータ伝送システムと比較して）低い電気的出力で、情報を伝送することができる。特に、このアンテナの場合にデータ伝送のために利用される磁界は、この比較的に低い周波数範囲では、送信アンテナと受信アンテナの間に配置されたからだの組織（特に頭）によって減衰されないかまたは無視できるほどしか減衰されない。さらに、磁気式アンテナは電界用アンテナと比較的して大きさが小さいので有利である。これは省スペースに寄与する。この実施形態ではさらに、アンテナ底板がドライバコイルとアンテナコイルの間の一種の磁気的な遮蔽体として作用するので有利である。特に、アンテナ底板はドライバコイルのコイル軸線に対して平行なその配置と、アンテナコイルに対して垂直な配向とに基づいて、ドライバコイルの磁界の大部分をアンテナコイルのコイル軸線に対して横向きに短絡させるので、ドライバコイルの磁界の入射と、それによるアンテナコイル内の誘導電流が無視できるほど小さい。従って、アンテナユニットの情報伝送の質（特に妨害磁界に対する情報伝送の確実性）がさらに高められる。
【００１７】
他の合目的な実施形態では、特にアンテナコイルのコイル軸線がドライバコイルと交叉するように、アンテナユニットのコイルコアが配置されている。それによって、アンテナ底板の遮蔽作用がさらに改善され、従ってアンテナコイルへのドライバコイルの磁界の入射がさらに低減される。
【００１８】
有利な発展形態では、コイルコアは好ましくは次のように配置されている。すなわち、アンテナコイルのコイル軸線がほぼ、すなわち正確にまたは近似的に、特にアンテナコイルの長さと比べて数分の１だけ小さな間隔をおいて、ドライバコイルの中心に沿って延在するように配置されている。それによって、「磁気的に対称」とも呼ばれる、ドライバコイルとアンテナコイルのそれぞれの磁界の配置が達成される。この配置によって、特に強磁性および／またはフェリ磁性のアンテナ底板との組合せで、ドライバコイルの磁界のきわめて高い遮蔽作用またはアンテナコイルへのドライバコイルの磁界の無視できるほど小さな入射が可能になる。
【００１９】
他の合目的な実施形態では、アンテナユニットは少なくとも１個のアンテナ側板を備えている。このアンテナ側板はアンテナコイルとは反対のアンテナ底板の側で、アンテナ底板に対して角度をなして、好ましくはアンテナ底板に対して垂直に延在している。複数のまたはそれぞれのアンテナ側板が、ハウジングの（上述のダイアフラム側の側壁に加えて他の）側壁を覆っていると合目的である。さらに、複数のまたはそれぞれのアンテナ側板は好ましくはコイルコアおよびアンテナ底板と同じ材料によって形成されている。その際、アンテナ側板がアンテナユニットの延長（特にアンテナコイルのコイル軸線に沿った）と、従ってアンテナ特性のさらなる改善をもたらすので有利である。さらに、アンテナコイルによって発生した磁界は複数のまたはそれぞれのアンテナ側板の配置に基づいてスピーカの周りを案内される。さらに、複数のまたはそれぞれのアンテナ側板は、アンテナ底板の遮蔽作用のため、従ってドライバコイルによって発生した磁界をアンテナコイルに対して遮蔽するために寄与する。
【００２０】
スピーカモジュールのさらなる構造的な統合のために、上述の実施形態の合目的な発展形態では、ハウジングの上述の他の側壁の少なくとも１つが、複数のまたはそれぞれ１個のアンテナ側板によって形成されている。すなわちハウジングのこの側壁は省略されてアンテナ側板によって置き換えられている。アンテナユニットが特に上述のアンテナ側板を４枚備えている場合には、本発展形態では、このアンテナ側板はハウジングの箱状またはコップ状の部分を形成する。
【００２１】
他の合目的な実施形態では、アンテナ底板が例えば５０〜１５０μｍの範囲の間隔、特に約１００μｍの間隔をおいて、コイルコアおよび／または場合によっては複数のまたはそれぞれのアンテナ側板に連結されている。換言すると、アンテナ底板と、コイルコアと、場合によっては複数のまたはそれぞれのアンテナ側板は、互いに直接接触しないで、例えば接着層および／または他の種類の絶縁中間部材、例えば合成樹脂によって互いに離隔されかつ互いに保持されている。それによって、アンテナユニットの高い信号対雑音比、すなわちきわめて妨害作用のない受信が達成されるので有利である。スピーカのドライバコイルの磁界はアンテナと比べて良好な減衰作用を有するように遮蔽される。
【００２２】
スピーカは有利な実施形態では、いわゆる「バランスドアーマチュア」スピーカまたは「ムービングアーマチュア」スピーカである。両者の場合、スピーカ、特にそのダイアフラムドライバは、ドライバコイルに加えて、２個の永久磁石と１個のアーマチュアを備えている。このアーマチュアは両永久磁石の間の隙間内に配置され、「ドライバロッド」を介してスピーカダイアフラムに連結されている。アーマチュアはさらにドライバコイルを通過している。
【００２３】
本発明に係る聴取器は上述の種類のスピーカモジュールと、スピーカモジュールを内蔵する（聴取器）ハウジングを備えている。その際、スピーカモジュールの音通路は聴取器ハウジングの音出口内に配置されている。
【００２４】
次に、図に基づいて本発明の実施の形態を詳しく説明する。
【図面の簡単な説明】
【００２５】
【図１】聴取器用スピーカモジュールの概略的な断面図である。
【図２】スピーカモジュールの他の実施の形態の、図１と同様な図である。
【図３】スピーカモジュールの他の実施の形態の、図１と同様な図である。
【図４】スピーカモジュールの他の実施の形態の、図１と同様な図である。
【図５】スピーカモジュールの他の実施の形態の、図１と同様な図である。
【図６】図１〜図５の実施の形態の一つに係るスピーカモジュールを備えた聴取器の概略的な透視側面図である。
【発明を実施するための形態】
【００２６】
すべての図において互いに一致する部分とサイズには、常に同じ参照符号がつけてある。
【００２７】
図１には、（例えば図６に示した）聴取器２のためのスピーカモジュール１が示してある。このスピーカモジュール１は、ハウジング４内に配置されたスピーカ３を備えている。スピーカモジュール１はさらに、ハウジング４の一部として形成されたアンテナユニット５を備えている。従って、スピーカモジュール１は、音響信号を出力しかつ電磁（情報）信号を送信および／または受信するために役立つ、聴取器２用の統合された構造ユニットを形成する。
【００２８】
スピーカ３は図示した実施の形態ではいわゆる「バランスドアーマチュア」スピーカとして形成されている。スピーカ３はスピーカダイアフラム７を備えている。このスピーカダイアフラムはスピーカ３の運転中振動させられ、それによって音響信号を発生する。スピーカダイアフラム７の振動を発生するために、スピーカ３は（ダイアフラム）ドライバ８を備えている。このダイアフラムドライバ８はほぼＵ字状のアーマチュア１０（「鉄片」とも呼ばれる）を備えている。このアーマチュア１０はドライバロッド１２によってスピーカダイアフラム７に連結されている。ダイアフラムドライバ８は互いに間隔をおいて配置された２個の永久磁石１４を備え、この永久磁石の間にアーマチュア１０の脚部が延在配置されている。ダイアフラムドライバ８はさらに、ドライバコイル１６を備えている。スピーカ３の運転中、このドライバコイルによって、アーマチュア１０を交番磁化するための磁界が発生させられる。その際、ドライバコイル１６はコイル軸線１８に沿って長く延びている、すなわちその厚さに比べて長さが大きくなるように形成されている。
【００２９】
アンテナユニット５はアンテナコイル２０を備えている。このアンテナコイルは（付設された）直線のコイル軸線２２に沿って配置され、具体的には巻回されている。アンテナコイル２０は中空円筒状、すなわち管状の（アンテナ）コイルコア２４に巻かれている。このコイルコアは強磁性材料、具体的にはフェライトによって形成されている。アンテナコイル２０のコイル軸線２２はドライバコイル１６のコイル軸線１８に対して垂直に配向されている。アンテナユニット５はさらに、同様に強磁性材料、具体的にはフェライトによって形成されたアンテナ底板２６を備えている。このアンテナ底板上に、コイル本体２４−および従ってコイル軸線２２−が垂直に立設されている。図１に示した実施の形態では、コイルコア２４とアンテナ底板２６が一体に形成され、それによって組立てが簡単である。
【００３０】
アンテナ底板２６はスピーカ３のダイアフラム側に配置されたハウジング４の側壁を形成し、図示した実施の形態では具体的にはハウジング４の（上側の）被覆板を形成している。その際、スピーカダイアフラム７によって発生した音響信号を出すために必要な音通過穴３０は、アンテナ底板２６に直接形成されている。この音通過穴３０はコイルコア２４の円筒室に開口している。以下においてこの円筒室を音通路３２と呼ぶ。アンテナ底板２６とは反対の側の音通路３２の自由端部は、（全体の）スピーカモジュール１の音出口を形成している。
【００３１】
スピーカダイアフラム７がハウジング４内において音通路３２の下端に直接配置され、それによって音通路３２がハウジング内室３４に対して分離または閉鎖されていることにより、音響的に有利な形成が達成される。本例では、スピーカダイアフラム７は特に金属の縁範囲３３を介してハウジング４に取付けられている。代替的な実施形態では、スピーカダイアフラム７は縁範囲３３を介してアンテナ底板２６に直接固定されている。実際に自由に振動するダイアフラムは音通路３２のすぐ下にある。従って、音通路３２に対してスピーカダイアフラム７によって遮断されたハウジング４のハウジング内室３４は、スピーカ３のいわゆる背後容積（「バック容積」とも呼ばれる）を形成する。スピーカダイアフラム７に関して音出口側の前容積（「フロント容積」とも呼ばれる）は実質的に音通路３２によって形成される。
【００３２】
図２には、スピーカモジュール１の他の実施の形態が示してある。この実施の形態は、スピーカダイアフラム７が管状コイル本体２４内に配置および固定され、具体的にはコイル軸線２２に対して半径方向に配置および固定されている点が、図１に示した実施の形態と異なっている。この場合、ドライバロッド１２は相応して長くなっている。スピーカダイアフラム７をコイル本体２４内に配置したことにより、図１の実施の形態と比べて、背後容積が大きくなり、前容積が小さくなる。この場合、スピーカモジュール１のその他の寸法は同じである。それにより、スピーカダイアフラム７に反作用する音響抵抗が小さくなるという利点があるので、（場合によってはスピーカダイアフラム７の面積が小さくなっても）スピーカ３の音響特性が改善される。このように形成されたスピーカモジュール１は低い音も高い音も、すなわち低い周波数も高い周波数も良好に伝達することができるという利点がある。
【００３３】
アンテナ底板２６が強磁性材料によって形成されていることにより、このアンテナ底板は一方ではアンテナユニット５のアンテナ特性を改善する働きをする。アンテナ底板２６は他方では、アンテナコイル２０を、スピーカ３の運転中ドライバコイル１６から出る磁界から少なくとも部分的に遮蔽する。
【００３４】
アンテナ底板２６の遮蔽作用を改善するスピーカモジュール１の実施の形態が図３に示してある。この場合、コイルコア２４、ひいてはアンテナコイル２０は、アンテナコイル２０のコイル軸線２２がスピーカ３のドライバコイル１６と交叉するように、アンテナ底板２６上に位置決めされている。具体的には、図３に示した実施の形態において、アンテナコイル２０のコイル軸線２２はドライバコイル１６の中心の方に向けられ、さらに（ドライバコイル１６の中心で）ドライバコイル１６のコイル軸線１８と交叉している。それによって、ドライバコイル１６の磁界のきわめて有利な延在（略示した磁界線４０によって示した）が生じる。図３において上側の磁界線４０（すなわち、アンテナコイル２０に近い磁界線４０）は、アンテナコイル２０のコイル軸線２２に対してほぼ横方向に（直角に）短絡させられるように、アンテナ底板２６から離れている。それによって、アンテナユニット５のアンテナ特性に対するドライバコイル１６の磁界の妨害作用がきわめて小さくなる。さらに、コイルコア２４はアンテナ底板２６に対して小さな間隔を有するように、例えばフィルムを用いて位置決めされている。これにより、ドライバコイル１６の磁界はアンテナコイル２０の減衰作用が高まることによってさらに遮蔽される。
【００３５】
アンテナ底板２６の遮蔽作用は、アンテナコイル２０のコイル軸線２２が図４と図５に示すように、アンテナコイル１６の中心に配置されないで、（ドライバコイルの中心と両端の一方との間の範囲において）ドライバコイル１６と交叉するように位置決めされるときにも改善される。それによって、ドライバコイル１６によるアンテナコイル２０への妨害作用の低減と、聴取器の場合にしばしば生じる（ほとんどが建物の部屋に起因する）構造的な制限との間の歩み寄りを有利に求めることができる。
【００３６】
図４に示すように、アンテナユニット１５はさらにアンテナ側板４２を備えている。このアンテナ側板はアンテナコイル２０とは反対のアンテナ底板２６の側でアンテナ底板に対して角度をして配置され、具体的にはハウジング４の外面に載置されている。このアンテナ側板４２によって、アンテナユニット５の運転中、アンテナユニット２０から発生したアンテナ磁界がスピーカ３の周りに有利に案内される。さらに、アンテナ側板４２はアンテナコイル２０に対してドライバコイル１５の磁界を遮蔽するためにも寄与する。
【００３７】
図４からさらに判るように、アンテナ側板４２とコイル本体２４はそれぞれ、アンテナ底板２６に対して小さな間隔を有するように離隔されている。この間隔は例えば粘着シートによってまたは間に配置されたフィルムによって生じる。
【００３８】
これに対して、詳しく示していない実施の形態では、アンテナ側板４２とコイル本体２４がアンテナ底板２６に直接接触している。
【００３９】
図５に示した他の実施の形態では、アンテナ側板４２がハウジング４に載置されていないで、それ自体がアンテナ底板２６に対して垂直であるハウジング４の側壁を形成している。それによって、スピーカモジュール１が占める容積が図４の実施の形態よりもさらに低減される。この場合特に、アンテナ側板４２とアンテナ底板２６は一体ユニットして製作されている。
【００４０】
図６に示した聴取器２はいわゆる耳内聴取器（略してＩｄｏ聴取器）である。聴取器２は聴取器装着者の耳道の形に適合した聴取器ハウジング５０を有する。この聴取器ハウジングは規定どおりの装着位置において聴取器装着者の鼓膜とは反対のその端部が前板（「フェースプレート」５２と呼ばれる）によって閉鎖されている。聴取器ハウジング５０は規定どおりの装着位置において鼓膜寄りのその端部に、音出口５４を有する。ハウジング内側においてスピーカモジュール１は音通路３２を形成するアンテナユニット５のコイル本体２４がこの音出口５４内に配置されている。同様に、電子ユニット５６が示してある。この電子ユニットはスピーカモジュール１に回路技術的に接続され、信号処理のための要素を担持している。
【００４１】
本発明の対象は上述の実施の形態に限定されない。専門家は上記の説明から本発明の他の実施の形態を導き出すことができる。特に、異なる実施の形態に基づいて説明した本発明の個々の特徴とその変形は、他の方法で互いに組み合わせることができる。
【符号の説明】
【００４２】
１  スピーカモジュール
２  聴取器
３  スピーカ
４  ハウジング
５  アンテナユニット
７  スピーカダイアフラム
８  ダイアフラムドライバ
１０  アーマチュア
１２  ドライバロッド
１４  永久磁石
１６  ドライバコイル
１８  コイル軸線
２０  アンテナコイル
２２  コイル軸線
２４  コイルコア
２６  アンテナ底板
３０  音通過穴
３２  音通路
３３  縁範囲
３４  ハウジング内室
４０  磁界線
４２  アンテナ側板
５０  聴取器ハウジング
５２  フェースプレート
５４  音出口
５６  電子ユニット
【図１】
0006379239.tif 000002
【図２】
0006379239.tif 000003
【図３】
0006379239.tif 000004
【図４】
0006379239.tif 000005
【図５】
0006379239.tif 000006
【図６】
0006379239.tif 000007